【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
第１取得条件の成立に基づいて、第１情報を取得する第１取得手段と、
その第１取得手段により取得された前記第１情報に基づいて第１判定を実行する第１判定手段と、
その第１判定手段による第１判定の結果に基づいた第１演出を第１演出期間で実行する第１演出実行手段と、
前記第１取得条件とは異なる第２取得条件の成立に基づいて、第２情報を取得する第２取得手段と、
その第２取得手段により取得された前記第２情報に基づいて第２判定を実行する第２判定手段と、
その第２判定手段による第２判定の結果に基づいた第２演出を第２演出期間で実行する第２演出実行手段と、
前記第１判定の結果が特定の第１判定結果であることに基づいた特定の第１演出または前記第２判定の結果が特定の第２判定結果であることに基づいた特定の第２演出が実行された場合に、遊技者に有利となる特典遊技を実行する特典遊技実行手段と、を有した遊技機において、
特定条件が成立した場合に、前記第１演出と前記第２演出とが所定回数実行されるまで遊技者に有利となる有利状態を設定する有利状態設定手段と、
その有利状態設定手段により前記有利状態が設定された場合に、前記第１判定より前記第２判定が実行され易くし、前記有利状態が終了した場合に、前記第２判定より前記第１判定が実行され易くする可変制御手段と、
前記有利状態が設定されていない場合には、前記第２演出が実行されている期間であっても、前記第１演出が予め定められた第１期間実行されないことに基づいて、第１表示態様を表示させるための第１表示設定を設定し、前記有利状態が設定されている場合には、前記第１演出が実行されている期間であっても、前記第２演出が予め定められた第２期間実行されないことに基づいて、前記第１表示態様とは異なる第２表示態様を表示させるための第２表示設定を設定する表示設定手段と、を有するものであることを特徴とする遊技機。
【請求項２】
前記第１表示態様は、液晶ディスプレイに表示されるものであることを特徴とする請求項１に記載の遊技機。
【手続補正２】
【補正対象書類名】明細書
【補正対象項目名】０００２
【補正方法】変更
【補正の内容】
【０００２】
パチンコ機等の遊技機において、第１始動入賞口への遊技球の入賞に基づいて変動表示が実行される第１図柄と第２始動入賞口への遊技球の入賞に基づいて変動表示が実行される第２図柄とを有し、夫々の図柄を同時に変動可能としたものがある。さらに、遊技状態に応じて第１図柄が変動表示され易い遊技状態と第２図柄が変動表示され易い遊技状態とを設定し、遊技の興趣の向上を図るよう構成しているものがある。
【手続補正３】
【補正対象書類名】明細書
【補正対象項目名】０００３
【補正方法】変更
【補正の内容】
【０００３】
【特許文献１】特開２００５−３１９２２１号公報
【手続補正４】
【補正対象書類名】明細書
【補正対象項目名】０００４
【補正方法】変更
【補正の内容】
【０００４】
しかしながら、同時に変動される第１図柄と第２図柄との変動表示状況を遊技状態によって、遊技者に分かりやすく報知することが困難であるという問題があった。
【手続補正５】
【補正対象書類名】明細書
【補正対象項目名】０００５
【補正方法】変更
【補正の内容】
【０００５】
本発明は、上記例示した問題点等を解決するためになされたものであり、遊技者に分かり易い遊技機を提供することを目的とする。
【手続補正６】
【補正対象書類名】明細書
【補正対象項目名】０００６
【補正方法】変更
【補正の内容】
【０００６】
この目的を達成するために本発明の遊技機は、第１取得条件の成立に基づいて、第１情報を取得する第１取得手段と、その第１取得手段により取得された前記第１情報に基づいて第１判定を実行する第１判定手段と、その第１判定手段による第１判定の結果に基づいた第１演出を第１演出期間で実行する第１演出実行手段と、前記第１取得条件とは異なる第２取得条件の成立に基づいて、第２情報を取得する第２取得手段と、その第２取得手段により取得された前記第２情報に基づいて第２判定を実行する第２判定手段と、その第２判定手段による第２判定の結果に基づいた第２演出を第２演出期間で実行する第２演出実行手段と、前記第１判定の結果が特定の第１判定結果であることに基づいた特定の第１演出または前記第２判定の結果が特定の第２判定結果であることに基づいた特定の第２演出が実行された場合に、遊技者に有利となる特典遊技を実行する特典遊技実行手段と、を有し、特定条件が成立した場合に、前記第１演出と前記第２演出とが所定回数実行されるまで遊技者に有利となる有利状態を設定する有利状態設定手段と、その有利状態設定手段により前記有利状態が設定された場合に、前記第１判定より前記第２判定が実行され易くし、前記有利状態が終了した場合に、前記第２判定より前記第１判定が実行され易くする可変制御手段と、前記有利状態が設定されていない場合には、前記第２演出が実行されている期間であっても、前記第１演出が予め定められた第１期間実行されないことに基づいて、第１表示態様を表示させるための第１表示設定を設定し、前記有利状態が設定されている場合には、前記第１演出が実行されている期間であっても、前記第２演出が予め定められた第２期間実行されないことに基づいて、前記第１表示態様とは異なる第２表示態様を表示させるための第２表示設定を設定する表示設定手段と、を有するものである。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】変更
【補正の内容】
【００１１】
本発明の遊技機によれば、第１取得条件の成立に基づいて、第１情報を取得する第１取得手段と、その第１取得手段により取得された前記第１情報に基づいて第１判定を実行する第１判定手段と、その第１判定手段による第１判定の結果に基づいた第１演出を第１演出期間で実行する第１演出実行手段と、前記第１取得条件とは異なる第２取得条件の成立に基づいて、第２情報を取得する第２取得手段と、その第２取得手段により取得された前記第２情報に基づいて第２判定を実行する第２判定手段と、その第２判定手段による第２判定の結果に基づいた第２演出を第２演出期間で実行する第２演出実行手段と、前記第１判定の結果が特定の第１判定結果であることに基づいた特定の第１演出または前記第２判定の結果が特定の第２判定結果であることに基づいた特定の第２演出が実行された場合に、遊技者に有利となる特典遊技を実行する特典遊技実行手段と、を有し、特定条件が成立した場合に、前記第１演出と前記第２演出とが所定回数実行されるまで遊技者に有利となる有利状態を設定する有利状態設定手段と、その有利状態設定手段により前記有利状態が設定された場合に、前記第１判定より前記第２判定が実行され易くし、前記有利状態が終了した場合に、前記第２判定より前記第１判定が実行され易くする可変制御手段と、前記有利状態が設定されていない場合には、前記第２演出が実行されている期間であっても、前記第１演出が予め定められた第１期間実行されないことに基づいて、第１表示態様を表示させるための第１表示設定を設定し、前記有利状態が設定されている場合には、前記第１演出が実行されている期間であっても、前記第２演出が予め定められた第２期間実行されないことに基づいて、前記第１表示態様とは異なる第２表示態様を表示させるための第２表示設定を設定する表示設定手段と、を有するものである。
【手続補正１２】
【補正対象書類名】明細書
【補正対象項目名】００１２
【補正方法】変更
【補正の内容】
【００１２】
よって、遊技者に分かり易い遊技を提供することができるという効果がある。
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】３０５４
【補正方法】変更
【補正の内容】
【３０５４】
前記各遊技機は、パチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、始動入賞口への遊技球の入賞に基づいて、図柄を変動表示させ、その変動表示終了後に遊技者に抽選の結果を報知するものがある（例えば、特許文献１：特開２００９−２９７０７１号公報）。
しかしながら、更なる遊技の興趣向上が求められていた。
本技術的思想は、上記例示した問題点等を解決するためになされたものであり、遊技者の興趣を向上できる遊技機を提供することを目的とする。
＜手段＞
この目的を達成するために技術的思想１の遊技機は、遊技球が入球可能な第１入球手段と、遊技球が入球可能な第１状態とその第１状態よりも入球困難となる第２状態とに可変可能な可変入球手段と、前記第１入球手段に遊技球が入球したことに基づいて判別を実行する判別手段と、その判別手段により特定の判別結果であると判別されたことに基づいて、前記可変入球手段を前記第２状態から前記第１状態へと所定条件が成立するまで可変させる可変制御手段と、を有するものであり、前記可変入球手段へと遊技球を誘導することが可能な第１誘導路と、複数の異なる遊技状態から１の遊技状態を決定する遊技状態決定手段と、その遊技状態決定手段により決定された前記遊技状態に対応して、前記第１誘導路への遊技球の流入数を可変させるように制御可能な流入数制御手段と、を有するものである。
技術的思想２の遊技機は、技術的思想１記載の遊技機において、遊技球が入球可能な開口部と、その開口部の上部を遊技球が転動して前記第１誘導路へと誘導可能な閉鎖状態と前記開口部へと遊技球が入球可能となる開放状態とに可変可能な可変部材と、を有し、前記流入数制御手段は、前記可変部材を前記閉鎖状態から前記開放状態へと可変させる可変頻度を可変させることで前記流入数を調整するものである。
技術的思想３の遊技機は、技術的思想２に記載の遊技機において、遊技球の通過を検出可能な検出手段と、その検出手段に遊技球の通過が検出されたことに基づいて、判定を実行可能な判定手段と、その判定手段による判定結果を示すための判定情報が動的表示された後に、停止表示される判定結果表示手段と、その判定結果表示手段に特定の前記判定結果を示すための前記判定情報が停止表示された場合に、前記可変部材を前記閉鎖状態から前記開放状態へと所定の可変パターンで可変させる第２可変制御手段と、を有するものである。
技術的思想４の遊技機は、技術的思想３記載の遊技機において、前記流入数制御手段は、前記判定情報が動的表示される期間を前記遊技状態に対応して可変させるものである。
技術的思想５の遊技機は、技術的思想４に記載の遊技機において、前記流入数制御手段は、前記第１誘導路への流入数を制限する第１制御と、その第１制御状態よりも前記第１誘導路への流入数を許容する第２制御とを少なくとも実行するものであり、前記流入数制御手段が前記第１制御を実行する場合には、前記判定情報が動的表示される期間を、前記検出手段を通過した球が前記開口部へと到達するまでの期間よりも短くなるように設定するものである。
＜効果＞
技術的思想１記載の遊技機によれば、遊技球が入球可能な第１入球手段と、遊技球が入球可能な第１状態とその第１状態よりも入球困難となる第２状態とに可変可能な可変入球手段と、前記第１入球手段に遊技球が入球したことに基づいて判別を実行する判別手段と、その判別手段により特定の判別結果であると判別されたことに基づいて、前記可変入球手段を前記第２状態から前記第１状態へと所定条件が成立するまで可変させる可変制御手段と、を有するものであり、前記可変入球手段へと遊技球を誘導することが可能な第１誘導路と、複数の異なる遊技状態から１の遊技状態を決定する遊技状態決定手段と、その遊技状態決定手段により決定された前記遊技状態に対応して、前記第１誘導路への遊技球の流入数を可変させるように制御可能な流入数制御手段と、を有するものである。
よって、遊技者の興趣を向上することができるという効果がある。
技術的思想２記載の遊技機によれば、技術的思想１記載の遊技機の奏する効果に加え、次の効果を奏する。即ち、遊技球が入球可能な開口部と、その開口部の上部を遊技球が転動して前記第１誘導路へと誘導可能な閉鎖状態と前記開口部へと遊技球が入球可能となる開放状態とに可変可能な可変部材と、を有し、前記流入数制御手段は、前記可変部材を前記閉鎖状態から前記開放状態へと可変させる可変頻度を可変させることで前記流入数を調整するものである。
よって、遊技者の興趣を向上することができるという効果がある。
技術的思想３記載の遊技機によれば、技術的思想２に記載の遊技機の奏する効果に加え、次の効果を奏する。即ち、遊技球の通過を検出可能な検出手段と、その検出手段に遊技球の通過が検出されたことに基づいて、判定を実行可能な判定手段と、その判定手段による判定結果を示すための判定情報が動的表示された後に、停止表示される判定結果表示手段と、その判定結果表示手段に特定の前記判定結果を示すための前記判定情報が停止表示された場合に、前記可変部材を前記閉鎖状態から前記開放状態へと所定の可変パターンで可変させる第２可変制御手段と、を有するものである。
よって、遊技者の興趣を向上することができるという効果がある。
技術的思想４記載の遊技機によれば、技術的思想３に記載の遊技機の奏する効果に加え、次の効果を奏する。即ち、前記流入数制御手段は、前記判定情報が動的表示される期間を前記遊技状態に対応して可変させるものである。
よって、遊技者の興趣を向上することができるという効果がある。
技術的思想５記載の遊技機によれば、技術的思想４に記載の遊技機の奏する効果に加え、次の効果を奏する。即ち、前記流入数制御手段は、前記第１誘導路への流入数を制限する第１制御と、その第１制御状態よりも前記第１誘導路への流入数を許容する第２制御とを少なくとも実行するものであり、前記流入数制御手段が前記第１制御を実行する場合には、前記判定情報が動的表示される期間を、前記検出手段を通過した球が前記開口部へと到達するまでの期間よりも短くなるように設定するものである。
これにより、第１誘導路への流入数を容易に制限することができる。よって、制御処理を簡素化することができるという効果がある。
【手続補正２２】
【補正対象書類名】明細書
【補正対象項目名】３０５５
【補正方法】変更
【補正の内容】
【３０５５】
１０                            パチンコ機（遊技機）
８１ 第３図柄表示装置（表示手段）
Ｓ３０１ 第１取得手段
Ｓ３０６ 第１判定手段
Ｓ３０７ 第１演出実行手段
Ｓ５０４ 可変制御手段の一部
Ｓ８０３ 第２取得手段
Ｓ８０４ 第２判定手段
Ｓ８０５ 第２演出実行手段
Ｓ１１０３ 可変制御手段の一部
Ｓ２００４ 特典遊技実行手段
Ｓ２１１２ 有利状態設定手段
Ｓ４１０５ 設定手段
Ｓ４２１２ 表示設定手段